(57)【要約】【課題】  エキシマランプを用いて発生させたオゾンによる電極の劣化を低減させることができるオゾン発生装置を提供すること。【解決手段】  発光ガスが封入された発光管と発光管の管軸方向両端部の外周面に設けられた電極とを有するエキシマランプと、前記電極を覆うよう設けられた保護部とを備えるオゾン発生装置。【選択図】  図１
2019182669.tif 000002
【特許請求の範囲】
【請求項１】
発光ガスが封入された発光管と、前記発光管の管軸方向両端部の外周面に設けられた電極とを有するエキシマランプと、
前記電極を覆うよう設けられた保護部とを備えることを特徴とするオゾン発生装置。
【請求項２】
前記保護部には、前記発光管の管径に対応する開口が形成されていることを特徴とする請求項１に記載のオゾン発生装置。
【請求項３】
前記開口と前記発光管との間に、前記発光管からの光を遮る第１の遮光部材が設けられていることを特徴とする請求項２に記載のオゾン発生装置。
【請求項４】
前記保護部の前記開口周囲に、テーパーが形成されていることを特徴とする請求項２又は３に記載のオゾン発生装置。
【請求項５】
前記保護部は、一方の前記電極を覆うように設けられた第１の保護部と、他方の前記電極を覆うように設けられた第２の保護部とを有し、
さらに、前記第１の保護部と前記第２の保護部とを接続する接続部を有し、
前記第１の保護部と前記接続部と前記第２の保護部とが一体的に筐体として形成されていることを特徴とする請求項１〜４のいずれか１に記載のオゾン発生装置。
【請求項６】
前記発光管と前記接続部とが離間していることを特徴とする請求項５に記載のオゾン発生装置。
【請求項７】
前記発光管の端面と、前記発光管の前記端面に対向する、前記保護部の内壁との間に、前記発光管の前記端面から出射される光が前記内壁に到達するのを遮る第２の遮光部材が設けられていることを特徴とする請求項１〜６のいずれか１に記載のオゾン発生装置。
【請求項８】
車両用であることを特徴とする請求項１〜７のいずれか１に記載のオゾン発生装置。
【請求項９】
流路と、
前記流路内に設けられた蒸発器と、
前記流路内に設けられた請求項１〜８のいずれか１に記載のオゾン発生装置と、
前記蒸発器の上流側に設けられた送風機とを備えることを特徴とする空気調和装置。
【請求項１０】
前記オゾン発生装置が、前記発光管の管軸方向と送風方向とが交差するように配置されていることを特徴とする請求項９に記載の空気調和装置。
【請求項１１】
請求項９又は１０に記載の空気調和装置を備えることを特徴とする車両。
【請求項１２】
前記オゾン発生装置が、前記車両の床面に垂直な方向と前記発光管の管軸方向とが一致するように配置されていることを特徴とする請求項１１に記載の車両。
【発明の詳細な説明】
【技術分野】
【０００１】
本発明は、オゾン発生装置、空気調和装置、及び、車両に関する。
【背景技術】
【０００２】
従来、紫外線ランプを用いたオゾン発生装置が知られている。オゾンを発生させるための紫外線ランプとしては、水銀ランプや、エキシマランプ（例えば、キセノンエキシマランプ）が知られている。
【０００３】
特許文献１には、エバポレータ（蒸発器）の下流側にオゾン発生器を備える自動車用エアコンの除菌装置が開示されており、これにより、エバポレータ表面での細菌の繁殖を防止することが記載されている。
【先行技術文献】
【特許文献】
【０００４】
【特許文献１】特開２００２−１０３９５９号公報
【発明の概要】
【発明が解決しようとする課題】
【０００５】
近年、環境への配慮から水銀フリーであることが推奨されている。また、エキシマランプ（特に波長１７２ｎｍの光を放射するキセノンエキシマランプ）は、波長１８５ｎｍ及び２５４ｎｍの光を放射する水銀ランプと比較してオゾン発生効率がよい。
【０００６】
しかしながら、エキシマランプは、その構造上、電極が発光管の外周面上に露出している。そのため、エキシマランプにより発生させたオゾンが電極を酸化させるという問題が生じ得る。特に、オゾン発生効率を向上させるために波長１７２ｎｍの光を放射するエキシマランプを用いる場合には、オゾン発生量が多くなるため、このような問題が顕著となり得る。さらに、使用環境に水分が多く存在する場合（例えば、空気調和装置内に配置する場合）には、水分とオゾンとの両者の存在により、電極の酸化がより一層顕著となり得る。
なお、特許文献１では、オゾン発生器として紫外線灯を用いたとの記載があるが、具体的な構成は記載されていない。仮に、水銀ランプを用いているのであれば、水銀フリーの観点から改善の余地がある。また、仮に、エキシマランプを用いているのであれば、上記のように、オゾンによる電極の酸化という問題がある。
【０００７】
本発明は上述した課題に鑑みてなされたものであり、その目的は、エキシマランプを用いて発生させたオゾンによる電極の劣化を低減させることができるオゾン発生装置を提供することにある。
また、本発明は、当該オゾン発生装置を備える空気調和装置を提供することにある。
また、本発明は、当該空気調和装置を備える車両を提供することにある。
【課題を解決するための手段】
【０００８】
本発明者は、下記の構成を採用することにより、前記の課題を解決できることを見出して本発明を完成させるに至った。
【０００９】
すなわち、本発明に係るオゾン発生装置は、
発光ガスが封入された発光管と、前記発光管の管軸方向両端部の外周面に設けられた電極とを有するエキシマランプと、
前記電極を覆うよう設けられた保護部とを備えることを特徴とする。
【００１０】
本発明では、エキシマランプとして、発光管の管軸方向両端部の外周面に電極を有するエキシマランプを用いる。その上で、前記電極を保護部で覆う。その結果、保護部で覆われるのは、発光管の管軸方向両端部部分となり、発光管の管軸方向中央部は、露出する。このような構成とすることにより、発光管から出射する光を大きく遮ることなく、電極を保護部により覆うことができる。これにより、オゾン発生効率を高く維持しつつ、電極がオゾンにより劣化されることを防止できる。また、使用環境に存在する水分が電極部に到達することも避けることができる。
また、前記エキシマランプは、電極が発光管の内部にはなく、外周面にのみ存在する。従って、前記エキシマランプは、発光管内に発光ガスを封入し、その後、外周面に電極を設ければよく、製造が容易である。
また、電極が発光管の内部になく、発光管の内部と外部とを電気的に接続する配線が不要であるため、発光管の壁面を貫く部材が存在しない。そのため、エキシマランプの信頼性を高く維持できる。具体的に説明すると、発光管の内部と外部とを電気的に接続するような配線が存在する場合、例えば、高温に晒されると、発光管と配線との熱膨張率差に起因して破損等の問題が生じ得る。しかしながら、本発明に係るエキシマランプによれば、発光管の壁面を貫く部材が存在しないため、このような問題は生じ得ない。
また、前記エキシマランプは、電極が発光管の内部にはなく、外周面にのみ存在する。従って、前記エキシマランプは、小型のものを製造しやすい。その結果、配置スペースの限られている箇所にも容易に設置可能なものを製造できる。
【００１１】
前記構成において、前記保護部には、前記発光管の管径に対応する開口が形成されていることが好ましい。
【００１２】
前記保護部に前記発光管の管径に対応する開口が形成されていると、前記開口に発光管を配置させて、前記エキシマランプを保持することができる。
【００１３】
前記構成においては、前記開口と前記発光管との間に、前記発光管からの光を遮る第１の遮光部材が設けられていることが好ましい。
【００１４】
前記第１の遮光部材が設けられていれば、前記発光管から出射される光が保護部の開口部分に到達するのを遮ることができ、前記光による開口部分の劣化を抑制することができる。
【００１５】
前記構成においては、前記保護部の前記開口周囲に、テーパーが形成されていることが好ましい。
【００１６】
前記保護部の前記開口周囲に、テーパーが形成されていると、保護部内にオゾンが到達しにくくすることができる。また、発光管を、開口周辺においてテーパーを含めた面で保持することができ、破損を低減することができる。
【００１７】
前記構成において、前記保護部は、一方の前記電極を覆うように設けられた第１の保護部と、他方の前記電極を覆うように設けられた第２の保護部とを有し、
さらに、前記第１の保護部と前記第２の保護部とを接続する接続部を有し、
前記第１の保護部と前記接続部と前記第２の保護部とが一体的に筐体として形成されていることが好ましい。
【００１８】
前記第１の保護部と前記接続部と前記第２の保護部とが一体的に筐体として形成されていると、前記第１の保護部と前記第２の保護部とで、前記エキシマランプを安定に保持することができる。
【００１９】
前記構成においては、前記発光管と前記接続部とが離間していることが好ましい。
【００２０】
前記発光管と前記接続部とが離間していると、前記発光管から出射される光を、前記発光管の全方向から効率よく酸素に当てることができ、オゾンの発生量をより多くすることができる。また、前記発光管と前記接続部とが離間していると、前記接続部が前記発光管から出射される光により劣化することを防止することができる。
【００２１】
前記構成においては、前記発光管の端面と、前記発光管の前記端面に対向する、前記保護部の内壁との間に、前記発光管の前記端面から出射される光が前記内壁に到達するのを遮る第２の遮光部材が設けられていることが好ましい。
【００２２】
前記第２の遮光部材が設けられていれば、前記発光管の前記端面から出射される光が前記内壁に到達するのを遮ることができ、前記光による前記内壁（前記保護部）の劣化を抑制することができる。
【００２３】
前記構成においては、車両用であることが好ましい。
【００２４】
前記オゾン発生装置は、小型化が容易であるため、スペースの限られた車両用として好適に用いることができる。
【００２５】
また、本発明に係る空気調和装置は、
流路と、
前記流路内に設けられた蒸発器と、
前記流路内に設けられた前記オゾン発生装置と、
前記蒸発器の上流側に設けられた送風機とを備えることを特徴とする。
【００２６】
前記構成によれば、前記蒸発器表面で発生した細菌等を、前記オゾン発生装置により発生させたオゾンにより除菌等することができる。これにより、細菌等に起因する悪臭等を抑制することが可能となる。
【００２７】
前記構成においては、前記オゾン発生装置が、前記発光管の管軸方向と送風方向とが交差するように配置されていることが好ましい。
【００２８】
前記オゾン発生装置が、前記発光管の管軸方向と送風方向とが交差するように配置されていると、発光管から出射される光により多くの酸素を効率的に当てることができる。
【００２９】
また、本発明に係る車両は、前記空気調和装置を備えることを特徴とする。
【００３０】
前記オゾン発生装置は、小型化が容易であるため、当該オゾン発生装置を備える空気調和装置も小型とすることができる。その結果、前記空気調和装置は、スペースの限られた車両に好適に搭載される。
【００３１】
前記構成においては、前記オゾン発生装置が、前記車両の床面に垂直な方向と前記発光管の管軸方向とが一致するように配置されていることが好ましい。
【００３２】
前記オゾン発生装置が、前記車両の床面に垂直な方向と前記発光管の管軸方向とが一致するように配置されていると、車両走行時の縦方向のゆれ（鉛直方向のゆれ）により、発光管が破損することを抑制することができる。
【発明の効果】
【００３３】
本発明によれば、エキシマランプを用いて発生させたオゾンによる電極の劣化を低減させることができるオゾン発生装置を提供することができる。また、当該オゾン発生装置を備える空気調和装置を提供することができる。また、当該空気調和装置を備える車両を提供することができる。
【図面の簡単な説明】
【００３４】
【図１】本実施形態に係るオゾン発生装置を模式的に示す斜視図である。
【図２】図１に示したオゾン発生装置において、説明のために筐体の手前半分を取り除いた様子を示す正面図である。
【図３】（ａ）は、図１に示したオゾン発生装置が備えるエキシマランプの管軸方向断面図であり、（ｂ）は、そのＺ−Ｚ断面図である。
【図４】他の実施形態に係るオゾン発生装置において、説明のために筐体の手前半分を取り除いた様子を示す正面図である。
【図５】他の実施形態に係るオゾン発生装置において、説明のために筐体の手前半分を取り除いた様子を示す正面図である。
【図６】本実施形態に係る車載用空気調和装置の概念図である。
【発明を実施するための形態】
【００３５】
まず、本発明の一実施形態に係るオゾン発生装置について、図面を参照しつつ、以下説明する。
【００３６】
図１は、本実施形態に係るオゾン発生装置を模式的に示す斜視図である。図２は、図１に示したオゾン発生装置において、説明のために筐体の手前半分を取り除いた様子を示す正面図である。
【００３７】
図１、図２に示すように、オゾン発生装置１０は、筐体１２と、エキシマランプ２０とを備える。
【００３８】
図３（ａ）は、図１に示したオゾン発生装置が備えるエキシマランプの管軸方向断面図であり、図３（ｂ）は、そのＺ−Ｚ断面図である。
【００３９】
エキシマランプ２０は、発光ガスが封入された発光管２２と、発光管２２の管軸方向両端部の外周面に設けられた電極２４（電極２４ａ、電極２４ｂ）とを有する。
【００４０】
なお、本実施形態では、エキシマランプ２０が誘電体バリア放電を利用したエキシマランプである場合について説明するが、本発明においてエキシマランプは、エキシマからの光を出射するランプであればよく、誘電体バリア放電を利用する場合に限定されない。
【００４１】
発光管２２の形状としては、内部が密閉された管状であれば、その形状は限定されないが、本実施形態のように、両端が封止された円管状であることが好ましい。
【００４２】
発光管２２の材質としては、特に限定されないが、紫外線を透過する材質であることが好ましく、例えば、石英ガラス等が挙げられる。
【００４３】
前記発光ガスとしては、酸素に照射することによりオゾンを発生させることが可能な波長の光を出射可能とするものであれば特に限定されない。前記発光ガスとしては、キセノン（出射波長：１７２ｎｍ）、塩化クリプトン（出射波長：２２２ｎｍ）、臭化クリプトン（出射波長：２０７ｎｍ）等が挙げられる。
【００４４】
電極２４は、上述したように、発光管２２の管軸方向両端部の外周面に設けられている。電極２４は、発光管２２の円筒部分の外周面に設けられていることが好ましく、その形状は特に限定されないが、本実施形態のように、円筒状であることが好ましい。円筒状であれば、より好適に誘電体バリア放電を起こすことができるからである。前記電極の形状の他の例としては、例えば、断面Ｃ字状やコイル状が挙げられる。
電極２４が発光管２２の外周面を被覆する面積としては、始動性の観点から、より大きい方が好ましい。従って、本実施形態のように、円筒状であることが好ましい。
なお、発光管２２の端面２６には、電極２４が形成されていないことが好ましい。発光管の端部には強度の弱い箇所があるからである。
【００４５】
電極２４の材質としては、特に限定されないが、高温での耐酸化性や耐熱衝撃性の観点から、ステンレス、カンタル（鉄クロム合金）が好ましい。
【００４６】
エキシマランプ２０では、電極２４間に交流の高電圧が印加されると、発光管２２内の空間２８に誘電体バリア放電が誘起される。そして、これにより発光ガスが励起されて、エキシマ状態となり、エキシマ状態から元の状態（基底状態）に戻るときに、そのエキシマ特有のスペクトルを発光（エキシマ発光）する。
【００４７】
エキシマランプ２０は、電極が発光管の内部にはなく、外周面にのみ存在する。従って、エキシマランプ２０は、発光管２２内に発光ガスを封入し、その後、外周面に電極２４を設ければよく、製造が容易である。
また、エキシマランプ２０は、電極が発光管の内部になく、発光管の内部と外部とを電気的に接続する配線が不要である。従って、発光管２２の壁面を貫く部材が存在しない。そのため、エキシマランプ２０の信頼性を高く維持できる。
【００４８】
上述の通り、エキシマランプ２０は、電極が発光管の内部にはなく、外周面にのみ存在する。従って、エキシマランプ２０は、小型のものを製造しやすい。小型化が容易である観点から、エキシマランプ２０の各寸法としては、管軸方向の全長が好ましくは１０〜１５０ｍｍ、より好ましくは１０〜１００ｍｍ、さらに好ましくは１０〜５０ｍｍである。また、電極間距離が、好ましくは３〜１３０ｍｍ、より好ましくは３〜８０ｍｍ、さらに好ましくは３〜３０ｍｍである。なお、前記の電極間距離とは、各電極の最も近い部分同士の距離をいう。また、円筒状である場合、外径が好ましくは３〜２０ｍｍ、より好ましくは３〜１５ｍｍ、さらに好ましくは３〜１０ｍｍである。また、発光管２２の肉厚としては、好ましくは０．１〜２ｍｍ、より好ましくは０．１〜１ｍｍ、さらに好ましくは０．１〜０．５ｍｍである。
なお、エキシマランプ２０の各寸法は、特に小型化の必要がない等の場合には、上記寸法に限定されない。ただし、電極間距離が大きくなると発光管２２内で絶縁破壊が起こらなくなる場合があるため、印加電圧との兼ね合いで各寸法を設定することが好ましい。
【００４９】
筐体１２は、Ｕ字状である。筐体１２は、一方の電極２４（電極２４ａ）を覆うように設けられた第１の保護部１４ａと、他方の電極２４（電極２４ｂ）を覆うように設けられた第２の保護部１４ｂとを有する。また、筐体１２は、第１の保護部１４ａと第２の保護部１４ｂとを接続する接続部１６を有する。つまり、筐体１２は、第１の保護部１４aと接続部１６と第２の保護部１４ｂとが一体的に形成されて、Ｕ字状の筐体１２を構成している。
【００５０】
オゾン発生装置１０では、エキシマランプ２０として、発光管２２の管軸方向両端部の外周面に電極２４を有するエキシマランプを用いている。その上で、電極２４を保護部１４（第１の保護部１４ａ、第２の保護部１４ｂ）で覆う。その結果、保護部１４で覆われるのは、発光管２２の管軸方向両端部部分となり、発光管２２の管軸方向中央部３０は、露出する。このような構成とすることにより、発光管２２から出射する光を大きく遮ることなく、電極２４を保護部１４により覆うことができる。これにより、オゾン発生効率を高く維持しつつ、電極２４がオゾンにより劣化されることを防止できる。また、使用環境に存在する水分が電極部に到達することも避けることができる。
また、オゾン発生装置１０では、第１の保護部１４ａと接続部１６と第２の保護部１４ｂとが一体的に筐体１２として形成されている。従って、第１の保護部１４ａと第２の保護部１４ｂとで、エキシマランプ２０を安定に保持することができる。
【００５１】
保護部１４（第１の保護部１４ａ、第２の保護部１４ｂ）には、発光管２２の管径に対応する開口１８が形成されている。保護部１４に発光管２２の管径に対応する開口１８が形成されているため、開口１８に発光管２２を配置させて、エキシマランプ２０を保持することができる。また、開口１８は、発光管２２の管径に対応する開口であるため、筐体１２外で発生したオゾンが極力、筐体１２内に進入することを防止することができる。
【００５２】
発光管２２と接続部１６とは、離間しており、発光管２２と接続部１６との間に通風領域３２が形成されている。発光管２２と接続部１６とが離間され、通風領域３２が形成されているため、発光管２２から出射される光を、発光管２２の全方向から効率よく酸素に当てることができ、オゾンの発生量をより多くすることができる。また、発光管２２と接続部１６とが離間しているため、接続部１６が発光管２２から出射される光により劣化することを防止することができる。つまり、通風領域３２において発光管２２から出射される光が酸素に当たり、前記光が弱められるため、接続部１６の劣化を防止することができる。
【００５３】
発光管２２と接続部１６との離間距離としては、接続部１６の劣化防止、及び、オゾン発生量増加の観点から、好ましくは１ｍｍ以上、より好ましくは５ｍｍ以上、さらに好ましくは１０ｍｍ以上である。また、前記離間距離は、オゾン発生装置１０の小型化の観点から、好ましくは３０ｍｍ以下、より好ましくは２５ｍｍ以下、さらに好ましくは２０ｍｍ以下である。なお、発光管と接続部との離間距離とは、発光管と接続部との最も近い部分同士の距離をいう。
【００５４】
図２に示すように、筐体１２内には、インバータ等のエキシマランプに給電するための電装体３６が収容されている。電装体３６とエキシマランプ２０の電極２４とは、配線３４により電気的に接続されている。電装体３６が筐体１２内に収容されているため、電装体３６が外部ノイズに影響を受けることを防止できる。また、電装体３６から発し得るノイズが外部に漏れることを防止できる。筐体１２の内面には、従来公知の電磁波シールド層（例えば、電磁波シールド用のフィルム等）が設けられていてもよい。
【００５５】
以上、オゾン発生装置１０について説明した。
【００５６】
図４は、他の実施形態に係るオゾン発生装置において、説明のために筐体の手前半分を取り除いた様子を示す正面図である。
【００５７】
図４に示すオゾン発生装置４０は、第１の遮光部材４２が設けられている点、及び、第２の遮光部材４４が設けられている点でオゾン発生装置１０と相違し、その他の点で共通する。そこで、以下では、異なる点について主に説明し、共通する点については、その説明を省略する。なお、オゾン発生装置１０と共通する構成については、同一の符号を付することとする。
【００５８】
図４に示すオゾン発生装置４０は、開口１８と発光管２２との間に、発光管２２からの光を遮る第１の遮光部材４２が設けられている。第１の遮光部材４２が設けられているため、発光管２２から出射される光が保護部１４の開口１８部分に到達するのを遮ることができ、前記光による開口１８部分の劣化を抑制することができる。
【００５９】
第１の遮光部材４２の材質としては、特に限定されないが、発光管２２から出射される光（例えば、紫外線）に対して劣化しにくいものが好ましく、例えば、フッ素樹脂等が挙げられる。
【００６０】
第１の遮光部材４２の形状としては特に限定されないが、円筒状であることが好ましい。円筒状であると、開口１８部分全体を覆うことができるからである。
【００６１】
また、オゾン発生装置４０は、発光管２２の端面２６と発光管２２の端面２６に対向する、保護部１４の内壁１５に、第２の遮光部材４４が設けられている。第２の遮光部材４４が設けられているため、発光管２２の端面２６から出射される光が内壁１５に到達するのを遮ることができ、前記光による内壁１５（保護部１４）の劣化を抑制することができる。
【００６２】
第２の遮光部材４４の材質としては、特に限定されないが、第１の遮光部材４２と同様とすることができる。
【００６３】
なお、上述の実施形態では、第２の遮光部材４４が保護部１４の内壁１５に設けられている場合について説明したが、本発明において第２の遮光部材の位置はこの例に限定されず、発光管の端面と保護部の内壁との間に設けられていればよい。例えば、発光管の端面に設けられていることとしてもよく、発光管の端面と保護部の内壁との間の空間が第２の遮光部材で充填されるよう設けられていることとしてもよい。
【００６４】
以上、オゾン発生装置４０について説明した。
【００６５】
図５は、他の実施形態に係るオゾン発生装置において、説明のために筐体の手前半分を取り除いた様子を示す正面図である。
【００６６】
図５に示すオゾン発生装置６０は、保護部の開口周囲に、テーパーが形成されている点でオゾン発生装置１０と相違し、その他の点で共通する。そこで、以下では、異なる点について主に説明し、共通する点については、その説明を省略する。なお、オゾン発生装置１０と共通する構成については、同一の符号を付することとする。
【００６７】
図５に示すオゾン発生装置６０は、保護部１４の開口１８周囲に、テーパー６２が形成されている。テーパー６２は、保護部１４と一体的に形成されていてもよく、別体として保護部１４に設けられていてもよい。保護部１４の開口１８周囲に、テーパー６２が形成されているため、保護部１４内にオゾンが到達しにくくすることができる。また、発光管２２を、開口１８周辺においてテーパー６２を含めた面で保持することができ、破損を低減することができる。
【００６８】
以上、オゾン発生装置６０について説明した。
【００６９】
上述した実施形態では、保護部が筐体の一部である場合について説明した。すなわち、電極が筐体の一部である保護部により覆われている場合について説明した。しかしながら、本発明における保護部は、筐体に限定されない。例えば、前記保護部は、電極に接着剤を塗布し、硬化させたものであってもよい。すなわち、前記保護部は、電極を覆うように設けられた硬化後の接着剤であってもよい。
【００７０】
次に、オゾン発生装置を備える車載用空気調和装置について説明する。
【００７１】
図６は、本実施形態に係る車載用空気調和装置の概念図である。図６に示すように、車載用空気調和装置８０は、空調ダクト８２を有しており、空調ダクト８２内に流路８４が形成されている。
【００７２】
空調ダクト８２の入り口には、外気吸入モードと内気循環モードとを切り替えるためのインテークドア９２が設けられている。
【００７３】
インテークドア９２の下流側には、車外から空気を吸入するための送風機８６が設けられている。送風機８６により矢印９４方向に空気を送ることができる。
【００７４】
送風機８６の下流には送風機８６からの空気を冷却するための蒸発器（エバポレータ）８８が設けられている。
【００７５】
蒸発器８８の下流にはエアミックスドア９６が設けられている。エアミックスドア９６は、蒸発器８８を通過した空気をそのままキャビン内に導入するか、又は、ヒータ９０を通過した後にキャビン内に導入するかを切換えるためのものである。
【００７６】
エアミックスドア９６の下流には蒸発器８８を通過した空気を加熱するためのヒータ９０が設けられている。
【００７７】
送風機８６と蒸発器８８の間（蒸発器８８よりも上流側）には、オゾン発生装置１０が設けられている。オゾン発生装置１０は、発光管２２の管軸方向と送風方向とが交差するように配置されている。オゾン発生装置１０が、発光管２２の管軸方向と送風方向とが交差するように配置されているため、発光管２２から出射される光により多くの酸素を効率的に当てることができる。
【００７８】
空調ダクト８２の出口側（図６では右側）の上部にはデフロスタノズル９８、中央にはベント吹出しノズル１００、下部（足下）にはヒータ吹出しノズル１０２が設けられている。各ノズル９８、１００、１０２にはモードドア９８ａ、１００ａ、１０２ａがそれぞれ開閉自在に設けられている。
【００７９】
車載用空気調和装置８０によれば、蒸発器８８表面で発生した細菌等を、オゾン発生装置１０により発生させたオゾンにより除菌等することができる。これにより、細菌等に起因する悪臭等を抑制することが可能となる。
【００８０】
上述した実施形態では、車載用空気調和装置８０の流路８４内に、上流側から順に、送風機８６、蒸発器８８、ヒータ９０、オゾン発生装置１０が配置されている場合について説明した。しかしながら、本発明においては、蒸発器表面で発生した細菌等を、オゾン発生装置により発生させたオゾンにより除菌等することができるのであれば、配置順はこの例に限定されない。蒸発器に付着した細菌や悪臭物質等を効率よくオゾンで除菌、分解等できる観点から、オゾン発生装置は、蒸発器よりも上流側に配置されていることが好ましい。
【００８１】
次に、空気調和装置を備える車両について説明する。
【００８２】
本実施形態に係る車両は、空気調和装置８０を備える。空気調和装置８０は、オゾン発生装置１０が、車両の床面に垂直な方向と発光管２２の管軸方向とが一致するように配置されている。前記車両の床面に垂直な方向と発光管２２の管軸方向とが一致するように配置されているため、車両走行時の縦方向のゆれ（鉛直方向のゆれ）により、発光管が破損することを抑制することができる。ただし、本発明における車両はこの例に限定されず、オゾン発生装置を有する空気調和装置を備えていれば、特に限定されない。
【００８３】
オゾン発生装置１０は、小型化が容易であるため、オゾン発生装置１０を備える空気調和装置８０も小型とすることができる。その結果、空気調和装置８０は、スペースの限られた車両に好適に搭載される。
【００８４】
以上、本発明の実施形態について説明したが、本発明は、上述した例に限定されるものではなく、本発明の構成を充足する範囲内で、適宜設計変更を行うことが可能である。
【符号の説明】
【００８５】
１０、４０、６０  オゾン発生装置
１２  筐体
１４  保護部（第１の保護部１４ａ、第２の保護部１４ｂ）
１５  内壁
１６  接続部
１８  開口
２０  エキシマランプ
２２  発光管
２４  電極（電極２４ａ、電極２４ｂ）
２６  端面
２８  空間
３０  中央部
３２  通風領域
３４  配線
３６  電装体
４２  第１の遮光部材
４４  第２の遮光部材
６２  テーパー
８０  車載用空気調和装置
８４  流路
８６  送風機
８８  蒸発器
９０  ヒータ
【図１】
2019182669.tif 000003
【図２】
2019182669.tif 000004
【図３】
2019182669.tif 000005
【図４】
2019182669.tif 000006
【図５】
2019182669.tif 000007
【図６】
2019182669.tif 000008